(57)【要約】【課題】皮膚のバリア層を効果的に弛緩させる。【解決手段】仮想的な平面である配置面１２９内に並ぶように配置され、所定の個体の皮膚内のバリア層を弛緩させるための電界を発生させる第一電極１２１、および第二電極１２２と、第一電極１２１、および第二電極１２２を覆う絶縁性のカバー部材１２３とを備える薬剤浸透装置１００。【選択図】図５
2019122629.tif 000002
【特許請求の範囲】
【請求項１】
仮想的な平面である配置面内に並ぶように配置され、所定の個体の皮膚内のバリア層を弛緩させるための電界を発生させる第一電極、および第二電極と、
前記第一電極、および前記第二電極を覆う絶縁性のカバー部材と
を備える薬剤浸透装置。
【請求項２】
前記第一電極は、前記配置面内に離れて配置される第一部分と第二部分とを備え、
前記第二電極の少なくとも一部は、前記第一部分と前記第二部分との間に配置される
請求項１に記載の薬剤浸透装置。
【請求項３】
前記第一部分と前記第二部分との並び方向において、前記第一部分、および前記第二部分は、それぞれ前記第二電極の少なくとも一部を含む配置の最端部に配置される
請求項２に記載の薬剤浸透装置。
【請求項４】
前記配置面において、前記第二電極は、前記第一部分、および前記第二部分によって囲まれる
請求項３に記載の薬剤浸透装置。
【請求項５】
前記配置面において、前記第一電極の総面積は、前記第二電極の総面積よりも広い
請求項１から４のいずれか一項に記載の薬剤浸透装置。
【請求項６】
前記第一電極に前記第二電極よりも高い電位を印加する弛緩電界発生手段を備える
請求項１から５のいずれか一項に記載の薬剤浸透装置。
【請求項７】
前記配置面の前記第一電極、および前記第二電極が配置される領域の外周縁近傍に、前記第一電極、および前記第二電極と導通せず、相互に絶縁状態の複数の金属部材を備える
請求項１から６のいずれか一項に記載の薬剤浸透装置。
【発明の詳細な説明】
【技術分野】
【０００１】
本発明は、皮膚に対して薬剤を浸透させる薬剤浸透装置に関する。
【背景技術】
【０００２】
従来、人の皮膚などに薬剤を浸透させる方法として、例えば、電位勾配を用いて水溶性の薬剤を皮膚の外部から内部に向かって浸透させる方法が提案されている（例えば特許文献１参照）。
【先行技術文献】
【特許文献】
【０００３】
【特許文献１】特開２０１０−３７２１４号公報
【発明の概要】
【発明が解決しようとする課題】
【０００４】
ところが、分子量の大きなヒアルロン酸などの成分を電位勾配だけで角質層にまで浸透させようとしても、皮膚細胞の間に存在する細胞間脂質などのバリア層に分子量の大きな物質が阻まれて十分に皮膚内部にまで浸透させることは困難である。
【０００５】
本発明は、上記課題に基づくものであり、分子量の大きな物質を細胞内に導入する電気穿孔法に着目し、薬剤を安全に皮膚へ浸透させることができる電極を備えた薬剤浸透装置の提供を目的とする。
【課題を解決するための手段】
【０００６】
上記目的を達成するために、本発明の１つである薬剤浸透装置は、仮想的な平面である配置面内に並ぶように配置され、所定の個体の皮膚内のバリア層を弛緩させるための電界を発生させる第一電極、および第二電極と、前記第一電極、および前記第二電極を覆う絶縁性のカバー部材とを備える。
【発明の効果】
【０００７】
本発明の薬剤浸透装置によれば、皮膚に対し効果的に電界を作用させて皮膚のバリア層を弛緩することができ、安全に薬剤の浸透を促す皮膚の状態にすることができる。
【図面の簡単な説明】
【０００８】
【図１】図１は、実施の形態に係る薬剤浸透装置の外観を示す正面図である。
【図２】図２は、実施の形態に係る薬剤浸透装置の外観を示す左側面図である。
【図３】図３は、実施の形態に係る薬剤浸透装置の外観を示す右側面図である。
【図４】図４は、実施の形態に係る薬剤浸透装置の内部構成の概略を示す断面図である。
【図５】図５は、実施の形態に係る弛緩電極体を分解した状態で示す斜視図である。
【図６】図６は、実施の形態に係る第一電極、第二電極の形状、および位置関係を示す平面図である。
【図７】図７は、実施の形態に係る弛緩電極体と枠体とを分解して示す斜視図である。
【図８】図８は、制御部が備える各機能部を機構部等と示すブロック図である。
【図９】図９は、薬剤浸透装置１００の動作の流れを示すフローチャートである。
【図１０】図１０は、第一電極、第二電極の形状、および位置関係の別例を示す平面図である。
【図１１】図１１は、第一電極、第二電極の形状、および位置関係の別例を示す平面図である。
【発明を実施するための形態】
【０００９】
以下では、本発明の実施の形態に係る薬剤浸透装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
図１は、実施の形態に係る薬剤浸透装置の外観を示す正面図である。図２は、実施の形態に係る薬剤浸透装置の外観を示す左側面図である。図３は、実施の形態に係る薬剤浸透装置の外観を示す右側面図である。これらの図に示すように、薬剤浸透装置１００は、皮膚への電界の刺激によるバリア層の弛緩と、分子量の大きな物質を含む薬剤などの皮膚内部への浸透とを一つの装置で実現させるものであって、筐体１１０と、弛緩電極体１２０と、第三電極１３３と、第四電極１３４と、報知手段１９０とを備えている。本実施の形態の場合、薬剤浸透装置１００はさらに、図８で示すように、弛緩電界発生手段１４９と、加温手段１５１と、冷却手段１５２と、開始検知手段１６０と、振動発生手段１８０とを備えている。
【００１２】
筐体１１０は、薬剤浸透装置１００の構造的基礎となる部材であり、表面に弛緩電極体１２０、第三電極１３３、および第四電極を露出状態で保持する部材である。本実施の形態の場合、筐体１１０は、人の手で把持できる程度の太さの棒状の把持部１１１と、把持部１１１の一端部に配置され前記弛緩電極体１２０および第三電極１３３が取り付けられるヘッド部１１２とを備えている。ヘッド部１１２には、弛緩電極体１２０と第三電極１３３とが背中合わせの状態で取り付けられている。把持部１１１には、第四電極１３４が取り付けられている。
【００１３】
また、図４に示すように、筐体１１０の内方には、制御部１４０、電源部１４１などが収容されている。
【００１４】
弛緩電極体１２０は、人間等の個体の皮膚に対して例えばパルス状の電界を連続的に発生させて皮膚表面のバリア層を弛緩させ穿孔することができる部材であり、図５、図６に示すように、第一電極１２１と、第二電極１２２と、カバー部材１２３とを備えている。（なお、図６、図１０、図１１中のハッチングは断面を示すものではなく、第一電極１２１と第二電極１２２とを区別し易くするために施したものである。）本実施の形態の場合、弛緩電極体１２０は、第三電極１３３に対して所定の角度（例えば６０度）傾いた状態で背中合わせに配置されている。
【００１５】
第一電極１２１、および第二電極１２２は、筐体１１０の外側において、仮想的な平面である配置面１２９内に相互に近接状態で並んで配置され、第一電極１２１と第二電極１２２との間に電圧を印加することにより皮膚内のバリア層を弛緩させるための電界を発生させる電極である。なお、本明細書、および特許請求の範囲において、平面とは、完全な平面ばかりでなく、弛緩電極体１２０を皮膚に押しつけることにより皮膚の表面に現れる曲面程度の凹凸も含むものとして記載している。
【００１６】
本実施の形態の場合、第一電極１２１は、配置面１２９内に離れて配置される第一部分１２７と第二部分１２８とを備え、第二電極１２２の少なくとも一部は、第一部分１２７と第二部分１２８との間に配置されている。また、第一電極１２１、および第二電極１２２は、配置を維持するたに絶縁性の一枚のフィルム基板１２４に保持されている。具体的には、第一電極１２１、および第二電極１２２はそれぞれ櫛歯状の形状となっており、それぞれの歯が相互に噛み合うような状態で配置されている。このように、第一電極１２１と第二電極１２２とを配置することで、配置面１２９内ばかりでなく、配置面１２９と直交する成分の電界を発生させ、当該電界を面状に分布させることができるため、皮膚に対し効果的に電界を作用させることが可能となる。
【００１７】
また、第一部分１２７と第二部分１２８との並び方向において、第一部分１２７、および第二部分１２８は、それぞれ第二電極１２２の少なくとも一部を含む配置の最端部に配置されている。つまり、櫛歯状の第一電極１２１の歯の本数は、第二電極１２２の歯の本数より１本多くなっている。これにより、面状に分布させた電界を閉じ込めることができ、より効果的に皮膚に電界を作用させることが可能となる。
【００１８】
また、第一電極１２１と第二電極１２２の歯の形状は同等に設定されている。このため配置面１２９において、第一電極１２１の総面積は、第二電極１２２の総面積よりも広いものとなっている。このような関係の第一電極１２１に第二電極１２２よりも高電位を印加すると、より効果的に電界を皮膚に作用させることができ、薬剤が浸透させやすくなるという知見を発明者は得ている。
【００１９】
カバー部材１２３は、第一電極１２１、および第二電極１２２を覆う絶縁性のシート状の物質であり、第一電極１２１、および第二電極１２２が皮膚に直接接触することを防止する部材である。これにより、弛緩電極体１２０の使用対象となる個体に対する安全性を高めることが可能となる。カバー部材１２３の材質は、特に限定されるものではないが、例えばＰＥＴ（ポリエチレンテレフタレート）などの樹脂からなるシートを例示することができる。また、本実施の形態のように一枚のカバー部材１２３で第一電極１２１と第二電極１２２の両方を覆ってもよく、第一電極１２１と第二電極１２２とを個別に覆ってもかまわない。
【００２０】
本実施の形態の場合、弛緩電極体１２０は、図７に示すように、枠体１７０を用いて筐体１１０に取り付けられる。この枠体１７０には、第一電極１２１、および第二電極１２２と導通せず、相互に絶縁状態の複数の金属部材１７１を備えている。金属部材１７１のそれぞれの形状や大きさは、特に限定されるものではないが、本実施の形態の場合、いわゆるラメのような、薄い小片状の金属部材１７１が分散状態で含有する塗料を枠体１７０の本体の表面に塗装することにより、配置面１２９において第一電極１２１、および第二電極１２２が配置される領域の外周縁またはその近傍に他部材との間で電気的な導通のないいわゆる浮いた状態の金属部材１７１を配置している。これにより、弛緩電極体１２０を皮膚表面に押し当てた際に、複数の金属部材１７１が皮膚の表面近傍に、第一電極１２１、および第二電極１２２を取り囲むようにして配置されるため、第一電極１２１と第二電極１２２との間で発生する電界に金属部材１７１が影響し、皮膚のバリア層の弛緩効果を高めることができるという知見を発明者は得ている。
【００２１】
金属部材１７１の材種は、特に限定されるものではないが、例えばインジウムなどを例示することができる。また、金属部材１７１として複数種類の金属を含んでいてもかまわない。金属部材１７１の配置状態は、第一電極１２１、および第二電極１２２が配置される領域の外周縁近傍であれば、全周に均等に配置されても良く、また、複数箇所に偏って配置されていても良い。また、金属部材１７１の形状は、小片状ばかりでなく、粉状でもかまわない。さらに、金属部材１７１の大きさも、塗料に分散できる大きさに限定されるものではない。
【００２２】
本実施の形態の場合、金属部材１７１は、枠体１７０に取り付けられていたが、金属部材１７１は、筐体１１０、カバー部材１２３など任意の場所に取り付けられてもかまわない。
【００２３】
第三電極１３３は、筐体１１０の外側に面して配置され、人間などの所定の個体の皮膚表面に接触、または近接状態で薬剤を浸透させる電極である。本実施の形態の場合、第三電極１３３は、角が丸められた三角柱形状となっており、端面が筐体１１０の把持部１１１が延在する軸（図中Ｚ軸）に対して、３０度程度傾いてヘッド部１１２に突出状態で取り付けられている。第三電極１３３の端面において三つの辺の内一つは、把持部１１１が延在する軸に対して直交するように配置されており、直交している辺は把持部１１１から最も遠い位置に配置されている。また、把持部１１１の外面を仮想的にヘッド部１１２にまで延長させた場合、第三電極１３３は、仮想的な把持部１１１の外面と交差しないように配置されている。また、第三電極１３３には、薬剤が含浸された不織布のような膨潤シート（図示せず）を取り付けることが可能である。
【００２４】
このような第三電極１３３の形、姿勢、および把持部１１１との位置関係により、把持部１１１を把持した個体が前記個体の顔面の皮膚に対し第三電極１３３の端面を平行に配置しやすくなり、皮膚に対し薬剤の浸透が偏ることなく第三電極１３３の端面全体を用いて均等に浸透させることが可能となる。
【００２５】
第四電極１３４は、筐体１１０の外側に面して配置され、個体の皮膚表面の他部に接触、または近接状態で第三電極１３３との間で所定の電圧が印加される電極である。本実施の形態の場合、第四電極１３４は、把持部１１１の延在方向に延在し、把持部１１１の外面に沿って湾曲する平面視長円形状となっており、第三電極１３３と反対側の把持部１１１の外面、つまり弛緩電極体１２０側に配置されている。このような第四電極１３４の形、および把持部１１１における位置関係により、把持部１１１を把持した個体が前記個体の顔面の皮膚の近傍に第三電極１３３を配置する際に、第四電極１３４は手のひらと接触することになり、第四電極１３４と手のひらとが強く密着しかつ広範囲に密着する。これにより、個体を介して第三電極１３３との間で所定の電圧を確実に印加し、皮膚の表面近傍の電位勾配を発生させることが可能となる。
【００２６】
加温手段１５１は、第一電極１２１、および第二電極１２２を含む弛緩電極体１２０を加温する装置である。加温手段１５１の加温方法は、特に限定されるものではなく、ジュール熱に基づくヒータなどを例示することができる。本実施の形態の場合、加温手段１５１は、熱源としてペルチェ素子１５０を用い、ペルチェ素子１５０が発する熱を第一伝熱手段１５３を用いて第一電極１２１、第二電極１２２を含む弛緩電極体１２０を加温している。
【００２７】
このように弛緩電極体１２０を加温することにより、弛緩電極体１２０と接触する皮膚が加温される。皮膚表面の温度を上昇させ、併せて電界による刺激を皮膚に加えることで、熱と電界による刺激との相乗効果により皮膚のバリア層を弛緩させやすくなるとの知見を発明者は得ている。
【００２８】
冷却手段１５２は、第三電極１３３を冷却する装置である。冷却手段１５２の冷却方法は、特に限定されるものではなく、第三電極１３３に熱的に接続されるヒートシンクとヒートシンクに風を送るファンの組み合わせなどを例示することができる。本実施の形態の場合、冷却手段１５２は、冷却源としてペルチェ素子１５０を用い、ペルチェ素子１５０の冷却面と第三電極１３３とを第二伝熱手段１５４を介して接続することで第三電極１３３冷却している。
【００２９】
このように第三電極１３３を冷却することにより、第三電極１３３と接触、または近接する皮膚が冷却される。弛緩電極体１２０による加温と電界との刺激で弛緩した皮膚表面のバリア層は、第三電極１３３と皮膚との電位差により、薬剤に含まれる高分子成分も容易に皮膚内部に浸透させることができ、また、皮膚を冷却することで弛緩したバリア層の回復を遅らせて浸透を継続させることが可能となる。
【００３０】
また、本実施の形態の場合、背中合わせに配置された弛緩電極体１２０と第三電極１３３との間にペルチェ素子１５０を配置し、ペルチェ素子１５０の加温面を弛緩電極体１２０側に、ペルチェ素子１５０の冷却面を第三電極１３３に向けて配置している。従って、一つのペルチェ素子１５０を駆動するだけで、弛緩電極体１２０の加温と第三電極１３３の冷却とを同時に実行することができ、薬剤浸透装置１００の省エネルギー化を図ることができる。
【００３１】
なお、ペルチェ素子１５０と弛緩電極体１２０とを熱的に接続する第一伝熱手段１５３、およびペルチェ素子１５０と第三電極１３３とを熱的に接続する第二伝熱手段１５４は、特に限定されるものではないが、例えば熱伝導性の高い銅やアルミニウムなどにより形成されてもよく、またヒートパイプなどを用いて熱を伝えてもかまわない。
【００３２】
図８は、制御部が備える各機能部を機構部等と示すブロック図である。同図に示すように、制御部１４０は、弛緩電極体１２０に電圧を印加してパルス状などの電界を発生させるための回路を構成する部品や、第三電極１３３と第四電極１３４との間に電圧を印加するための回路を構成する部品、またこれらの回路を駆動するためのプロセッサなどを備えている。これらの回路、プロセッサなどは、電源部１４１から供給される電力により駆動する。制御部１４０は、機能部として、弛緩電界制御部１４３と、浸透電圧発生部１４４と、接触検知部１４５と、計時部１４６と、報知部１４７と、振動制御部１４８とを備えている。
【００３３】
弛緩電界発生手段１４９は、第一電極１２１に第二電極１２２よりも高い電位を印加するものであり、本実施の形態の場合、電圧印加手段１６１と、機能部として弛緩電界制御部１４３とを備えている。
【００３４】
弛緩電界制御部１４３は、第一電極１２１と第二電極１２２との間に皮膚内のバリア層を弛緩させるための電界を発生させるために電圧印加手段１６１を制御する処理部である。弛緩電界制御部１４３は、電圧印加手段１６１を制御することにより第一電極１２１に第二電極１２２よりも高い電圧のパルスを周期的に印加する。パルス状に印加される電圧、デューティー比などは、特に限定されるものではなく、また、カバー部材１２３の厚さなどにも依存する。
【００３５】
浸透電圧発生部１４４は、第三電極１３３と第四電極１３４との間に電圧を印加し、個体を介して第三電極１３３から皮膚内部にかけて電位勾配を発生させるための制御をする処理部である。浸透電圧発生部１４４が第三電極１３３と第四電極１３４との間に印加する電圧は、特に限定されるものではないが、薬剤の肌への浸透を促進できる程度の電圧である。
【００３６】
開始検知手段１６０は、第一電極１２１、および第二電極１２２により発生した電界の皮膚への作用開始を検知して開始情報を出力する。開始検知手段１６０の検知方法は、特に限定されるものではなく、例えば、第一電極１２１と第二電極１２２との間にパルス状の電圧を印加した情報を弛緩電界制御部１４３から取得し、この情報に基づき電界の皮膚への作用が開始したとして開始情報を出力してもかまわない。本実施の形態の場合、開始検知手段１６０は、接触検知センサ１４２と、制御部１４０の機能部としての接触検知部１４５とを備えている。
【００３７】
接触検知センサ１４２は、弛緩電極体１２０が皮膚に接触、または近接していることを検知するセンサであり、検知方法は特に限定されるものではない。本実施の形態の場合、接触検知センサ１４２は、図４に示すように、弛緩電極体１２０の周縁外側近傍に配置され、皮膚との接触を静電容量の変化により検出する静電容量センサである。また、接触検知センサ１４２を弛緩電極体１２０の周囲の複数箇所に分散状態で配置し、複数のセンサからの情報に基づき弛緩電極体１２０が皮膚に平行に接触していることを検知してもかまわない。なお、接触検知センサ１４２としては、上記の他にマイクロスイッチなどの皮膚との接触を機械的動作により検知するものや、弛緩電極体１２０が筐体１１０に向かって押し込まれたことを検知するセンサなどを例示することができる。
【００３８】
接触検知部１４５は、接触検知センサ１４２が出力する情報を処理し、弛緩電極体１２０が接触したか否かを判断して、接触したと判断した場合に開始情報を出力する機能部である。本実施の形態の場合、接触検知センサ１４２が弛緩電極体１２０の周囲に分散状態で複数個配置されており、接触検知部１４５は、少なくとも３個以上の接触検知センサ１４２から皮膚と接触している情報を入手している場合、弛緩電極体１２０が皮膚表面と平行な状態で接触、または近接しているとして開始情報を出力する。
【００３９】
計時部１４６は、接触検知部１４５が出力した開始情報の取得に基づき計時を開始して所定の第一時間経過後に経過情報を出力する機能部である。第一時間は、特に限定されるものではなく、弛緩電界制御部１４３が第一電極１２１と第二電極１２２との間に印加する電圧の状態に依存する。なお、人の皮膚に施術する場合、数十秒〜１０分程度の範囲から選定される時間に設定される。
【００４０】
振動発生手段１８０は、第一電極１２１、および第二電極１２２を含む弛緩電極体１２０を振動させることにより、電界が発生していることを使用者である個体に認識させる装置である。振動発生手段１８０の振動発生方法は、特に限定されるものではなく、本実施の形態の場合、偏心した錘を電動モーターで回転させることにより振動を発生させる発振機構１８１と、制御部１４０の機能部として発振機構１８１を制御する振動制御部１４８とを備えている。
【００４１】
振動制御部１４８は、弛緩電界制御部１４３が第一電極１２１と第二電極１２２との間に電圧を印加した情報を取得することにより、発振機構１８１を駆動させてもよく、また、接触検知部１４５が出力する開始情報を取得することにより発振機構１８１を駆動させるなど、発振機構１８１の駆動タイミングは任意に設定される。
【００４２】
報知手段１９０は、計時部１４６が出力する経過情報を取得すると電界の作用を終わらせる旨を示す終了情報を使用者に報知する装置である。報知手段１９０報知された終了情報を認識した使用者は、弛緩電極体１２０を皮膚から離し、皮膚の同じ位置に第三電極１３３を接触させる操作を行う。報知手段１９０の報知方法は特に限定されるものではなく、例えば、光、音、振動、表示などを用いて報知する方法を例示できる。本実施の形態の場合、報知手段１９０は、制御部１４０が実現する機能部として報知部１４７を備えている。報知部１４７は、計時部１４６から経過情報を取得すると、振動制御部１４８に振動の停止を示す情報を出力する。本実施の形態のハンディタイプの薬剤浸透装置１００の場合、使用者である固体の顔の皮膚に処理を行う場合、光や表示の認識が困難であるため、振動発生手段１８０により発生していた振動を停止することで、確実に終了情報を報知することができる。従って、皮膚に対し過度に電界を作用させることなく、薬剤の浸透工程に移行させることができる。また、本実施の形態の場合、報知手段１９０は、ＬＥＤなどの発光装置１９１を備えており、発光装置１９１の点灯、消灯、発光色を変化させること等によっても終了情報を報知している。
【００４３】
次に、薬剤浸透装置１００の動作について説明する。図９は、薬剤浸透装置１００の動作の流れを示すフローチャートである。同図に示すように、まず、個体である使用者は、筐体１１０に設けられているスイッチ（図示せず）に基づき、主電源をＯＮにする（Ｓ１０１）。これにより、加温手段１５１、冷却手段１５２に電力が投入され、弛緩電極体１２０が加温され、第三電極１３３が冷却される（Ｓ１０２）。計時部１４６は、主電源ＯＮから所定の第二時間経過すると、準備完了を示す完了情報を出力し、報知手段１９０は、使用者に準備完了を報知する（Ｓ１０３）。準備完了情報の報知方法は特に限定されるものではなく、光、音、振動、表示などを用いて報知する方法を例示できる。例えば本実施の形態の場合、振動制御部１４８に発振機構１８１を駆動させることで準備完了を報知してもよく、また、光、音、表示などを用いて報知してもかまわない。
【００４４】
次に、準備完了を認識した使用者は、施術対象となる皮膚の表面に薬剤浸透装置１００の弛緩電極体１２０を配置する（Ｓ１０４）。弛緩電極体１２０の第一電極１２１と第二電極１２２との間には、第一電極１２１の電位が第二電極１２２よりも高くなるようにパルス状の電圧が印加され、パルス状の電界が発生している。これにより弛緩電極体１２０からの熱と電界との相乗効果により皮膚のバリア層が弛緩していく。
【００４５】
開始検知手段１６０が出力する開始情報に基づき計時部１４６は第一時間を計時し経過情報を出力する。経過情報を取得した報知手段１９０は、振動制御部１４８に振動停止情報を出力し、発振機構１８１の振動を停止させることで電界印加の終了を報知する（Ｓ１０５）。また、経過情報を取得した弛緩電界制御部１４３は、第一電極１２１と第二電極１２２との間の電圧の印加を停止してもよい。
【００４６】
次に、終了情報を認識した使用者は、薬剤浸透装置１００の向きを変更し、薬剤が含浸されたコットンパフなどの不織布を介して第三電極１３３を皮膚に配置する（Ｓ１０６）。手のひらに接触している把持部１１１表面の第四電極１３４と第三電極１３３との間に印加されている電圧により、不織布中の薬剤が弛緩した皮膚のバリア層を通過して皮膚内に浸透する。また、冷却された第三電極１３３により弛緩した皮膚の戻りがゆっくりとなり十分な薬剤が皮膚内に浸透する。
【００４７】
本実施の形態の場合、薬剤浸透装置１００は、第三電極１３３の皮膚への押圧を検出する押圧検出手段（図示せず）を備えており、計時部１４６は、押圧検出手段が押圧を検出ししてから所定の第三時間経過すると、一連の処理が完了したことを示す完了情報を出力する。完了情報を取得した報知手段１９０は、光、音、振動、表示などを用いて処理が完了した旨を報知する。
【００４８】
一連の処理が完了したことを認識した使用者は、別の箇所を再度処理したい場合は、再実行スイッチ（図示せず）を操作し、弛緩電極体１２０を皮膚表面に配置することで別の箇所における処理を開始する（Ｓ１０８：Ｙｅｓ）。再実行スイッチが操作されない場合は、処理が終了する（Ｓ１０８：Ｎｏ）。
【００４９】
以上のように、本実施の形態に係る薬剤浸透装置１００は、皮膚に電圧を印加するのではなく、カバー部材１２３を介して皮膚に接触する第一電極１２１、および第二電極１２２に電圧を印加し、電界により皮膚のバリア層を弛緩する。従って、皮膚に電気的な強い刺激を与えることなく安全に皮膚を一時的に穿孔し、薬剤の浸透を高める状態にすることができる。
【００５０】
特に高電位側の第一電極１２１の面積を第二電極１２２よりも広くすることで、皮膚に対し効果的に電界を作用させることができ、効果的に皮膚のバリア層を弛緩させることができる。
【００５１】
また、第一電極１２１を櫛歯形状など離れて配置される第一部分１２７、および第二部分１２８を備える形状とし、第一部分１２７と第二部分１２８との間に第二電極１２２を配置する構造とすることにより電界を面状に分布させることができ、皮膚に対し広範囲に電界を作用させることができる。
【００５２】
筐体１１０に備えられた弛緩電極体１２０により皮膚のバリア層を弛緩させ、バリア層の弛緩状態が適切になった段階で報知することにより、次の処理に移行することを効果的に促すことができる。従って皮膚に過度な電界を作用させ続けることなく、バリア層が弛緩した皮膚に薬剤を効果的に浸透させることが可能となる。
【００５３】
また、本実施の形態の場合、弛緩電極体１２０と同じ筐体１１０に第三電極１３３、および第四電極１３４が取り付けられているため、皮膚のバリア層を弛緩させた後、すぐに薬剤を浸透させはじめることができ、薬剤の浸透効率を高めることが可能となる。
【００５４】
さらに、弛緩電極体１２０を加温することにより、バリア層の弛緩を促進させることができるため、短時間で薬剤の浸透処理に移行させることができ、また、効率的に薬剤を浸透させることができる。また、ペルチェ素子１５０により冷却される第三電極１３３により徐々にバリア層を冷却して脂質の流動性を低下させるため、弛緩したバリア層の回復が遅れ、薬剤の浸透を継続して行うことが可能となる。
【００５５】
また、ベルチェ素子を用いて、弛緩電極体１２０の加温と第三電極１３３の冷却とを同時に実施することができるため、省エネルギー化を図ることができる。また、ペルチェ素子１５０の加温面と冷却面とのそれぞれに面して弛緩電極体１２０と第三電極１３３とを背中合わせに配置しているため、筐体１１０のヘッド部１１２のコンパクト化を図ることができ、薬剤浸透装置１００の重量低減に寄与することができる。
【００５６】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００５７】
例えば、図１０に示すように、配置面１２９において、第二電極１２２が、第一部分１２７、および第二部分１２８によって囲まれる様な第一電極１２１、および第二電極１２２の形状を採用してもかまわない。
【００５８】
また、図１１に示すように、配置面１２９において、第一電極１２１が第二電極１２２を囲んだ同心円状態の電極の対を複数配置してもかまわない。
【００５９】
また、一つの筐体１１０に弛緩電極体１２０、第三電極１３３、および第四電極１３４が取り付けられた実施例を説明したが、弛緩電極体１２０が取り付けられる筐体と、第三電極１３３、および第四電極１３４が取り付けられる筐体とは別体であってもかまわない。
【００６０】
また、弛緩電極体１２０、および第三電極１３３は、把持部１１１の一端部に位置するヘッド部１１２に背中合わせ、つまり１８０度の関係で取り付けられていたが、弛緩電極体１２０と第三電極１３３の角度の関係は特に限定されるものではない。
【００６１】
また、把持部１１１の一端部に配置される第一のヘッド部に弛緩電極体１２０を取り付け、他端部に配置されている第二のヘッド部に第三電極１３３を取り付けても構わない。
【００６２】
また、弛緩電極体１２０が発生させる電界はパルス状ばかりでなく、交流的な電界などでもかまわない。
【産業上の利用可能性】
【００６３】
本発明は、美容器具や医療器具など皮膚に対して薬剤を浸透させる薬剤浸透装置に適用可能である。
【符号の説明】
【００６４】
１００  薬剤浸透装置
１１０  筐体
１１１  把持部
１１２  ヘッド部
１２０  弛緩電極体
１２１  第一電極
１２２  第二電極
１２３  カバー部材
１２４  フィルム基板
１２７  第一部分
１２８  第二部分
１２９  配置面
１３３  第三電極
１３４  第四電極
１４０  制御部
１４１  電源部
１４２  接触検知センサ
１４３  弛緩電界制御部
１４４  浸透電圧発生部
１４５  接触検知部
１４６  計時部
１４７  報知部
１４８  振動制御部
１４９  弛緩電界発生手段
１５０  ペルチェ素子
１５１  加温手段
１５２  冷却手段
１５３  第一伝熱手段
１５４  第二伝熱手段
１６０  開始検知手段
１６１  電圧印加手段
１７０  枠体
１７１  金属部材
１８０  振動発生手段
１８１  発振機構
１９０  報知手段
１９１  発光装置
【図１】
2019122629.tif 000003
【図２】
2019122629.tif 000004
【図３】
2019122629.tif 000005
【図４】
2019122629.tif 000006
【図５】
2019122629.tif 000007
【図６】
2019122629.tif 000008
【図７】
2019122629.tif 000009
【図８】
2019122629.tif 000010
【図９】
2019122629.tif 000011
【図１０】
2019122629.tif 000012
【図１１】
2019122629.tif 000013